(57)【要約】【課題】工具用収納体を装備するベルトを腰部や腹部に負担をかけることなく取付ける。【解決手段】作業用ベスト１０は、肩部１１ａと肩部１１ａを肩に乗せるようにして装着した装着者の腰周りを包囲する胴部１１ｂとを有するベスト本体１１と、胴部１１ｂに胴周り方向に取付けられた帯状の緩衝材２１と、緩衝材２１に設けられ緩衝材２１に重合するように胴部１１ｂに周回されたベルト３１を緩衝材２１に固定するベルト通し３６とを備える。帯状の緩衝材２１がスライドファスナ２２を介してベスト本体１１の胴部１１ｂに取外し可能に取付けられる。ベルト通し３６は、帯状の緩衝材２１の上縁又は下縁に一端が取付けられたバンド３８と、バンド３８の他端を緩衝材２１の下縁又は上縁に離脱可能に取付ける取付手段３７，３９とを備える。【選択図】  図１
2010047878.tif 000002
【特許請求の範囲】
【請求項１】
肩部(11a)と前記肩部(11a)を肩に乗せるようにして装着した装着者の腰周りを包囲する胴部(11b)とを有するベスト本体(11)と、
前記胴部(11b)に胴周り方向に取付けられた帯状の緩衝材(21)と、
前記緩衝材(21)に設けられ前記緩衝材(21)に重合するように前記胴部(11b)に周回されたベルト(31)を前記緩衝材(21)に固定するベルト通し(36)と
を備えた作業用ベスト。
【請求項２】
帯状の緩衝材(21)がスライドファスナ(22)を介してベスト本体(11)の胴部(11b)に取外し可能に取付けられた請求項１記載の作業用ベスト。
【請求項３】
ベルト通し(36)が、帯状の緩衝材(21)の上縁又は下縁に一端が取付けられたバンド(38)と、前記バンド(38)の他端を前記緩衝材(21)の下縁又は上縁に離脱可能に取付ける取付手段(37,39)とを備えた請求項１又は２記載の作業用ベスト。
【発明の詳細な説明】
【技術分野】
【０００１】
本発明は、内装工事業、電気工事業、一般建築業等の作業に携わる作業者が作業中に装着する作業用ベストに関するものである。
【背景技術】
【０００２】
従来、内装工事業、電気工事業、一般建築業等の作業においては、作業用工具（例えば、ドライバー、カッター、メジャー、ニッパー、ペンチ、金槌、鑿等）を腰の周囲に装備しておき、それらがすぐ手に取れるようにしておけば、各種の作業が円滑かつ迅速に行える。このため、普通のものよりやや頑丈に作ったベルトに作業用工具を収納可能に構成された工具用収納体を装備させ、そのベルトを作業者の腰部や腹部に締め付けることによりそのベルトとともに工具用収納体を作業者の腰の周囲に装着することが行われている。そして、このようにベルトを介して工具用収納体を装着し、その工具用収納体に作業用工具を収納することにより、作業用工具を作業者の腰の周囲に装備するようにしている。
【０００３】
一方、作業者が必要とする作業用工具は、その作業内容によりその種類が異なる。そして、作業用工具の種類が異なるとそれを収納する工具用収納体の種類も異なる。このため、作業現場等において、ベルトを腰部や腹部に締め付けたまま、作業用工具を収納する工具用収納体をそのベルトに装備させたり、装備された工具用収納体を取外したり、またベルトに予め装備された工具用収納体の位置を変更することができるようにして、工具用収納体の変更が比較的容易に行うことができる作業用ベルトが提案されている（例えば、特許文献１参照。）。
【特許文献１】特開平１１−１８８６６５号公報（明細書［０００６］〜［０００９］）
【発明の開示】
【発明が解決しようとする課題】
【０００４】
しかし、このような作業用ベルトは、作業者の腰部や腹部に締め付けたベルトに工具用収納体を装備させるので、その工具用収納体に収納された工具の重量は作業者の腰部や腹部に直接加わることになる。そして、複数の工具用収納体をベルトに装備させると、それらの全てに作業用工具が収納された場合における重量は比較的大きなものになり、装備された複数の工具の重量の全てが作業者の腰部や腹部に加わることになる。このため、作業者の腰部や腹部に加わる負担が過大となる不具合があった。
【０００５】
また、複数の工具用収納体を装備したベルトを作業者の腰部や腹部に取付けることは、その重量が比較的大きいものになることから、ベルトの滑落を防止するためにそのベルトを比較的強い力で作業者の腰部や腹部に締め付けることが必要となる。そして、そのベルトに装備させた工具用収納体がベルトの内側に回り込まれて吊り下げられているような場合にはベルトの内側に凹凸が生じ、ベルトを強く締め付けるとそのベルトの内側に生じた凹凸が作業者の腰部や腹部に食い込む不具合もある。従って、例えば、腰痛を常日頃から感じている作業者にあっては、工具用収納体を装備したベルトを腰部や腹部に締めつけること自体が負担になるような場合もあった。
【０００６】
更に、工具用収納体を装備するベルトは、ズボンを止めるウエストベルトとは別に、そのズボンを含む作業着の上から作業者の腰部や腹部に締め付けられることも多い。このため、ズボンを止めるウエストベルトの上に工具用収納体を装備したベルトが重なるような事態も発生し、このような場合にそのベルトを作業者の腰部や腹部に比較的強い力で締め付けると、そのベルトがズボンを止めるウエストベルトや、作業着に形成された膨らみ等とともに締め付けられるような事態も生じる。すると、ベルトを締め付けた作業者の体にウエストベルトや作業着の膨らみ等が食い込んで、その者に著しい負担を与えるような場合もあった。
【０００７】
本発明の目的は、工具用収納体を装備するベルトを腰部や腹部に負担をかけることなく取付け得る作業用ベストを提供することにある。
【課題を解決するための手段】
【０００８】
請求項１に係る発明は、図１に示すように、肩部１１ａと肩部１１ａを肩に乗せるようにして装着した装着者の腰周りを包囲する胴部１１ｂとを有するベスト本体１１と、胴部１１ｂに胴周り方向に取付けられた帯状の緩衝材２１と、緩衝材２１に設けられ緩衝材２１に重合するように胴部１１ｂに周回されたベルト３１を緩衝材２１に固定するベルト通し３６とを備えた作業用ベストである。
【０００９】
この請求項１に記載された作業用ベストでは、ベルト通し３６を介して緩衝材２１にベルト３１を固定するようにすれば、そのベルト３１に装備された工具用収納体に工具を収納させても、それらの重量は緩衝材２１が取付けられたベスト本体１１を装着した装着者の肩で支持することになる。このため、ベスト本体１１を装着した装着者の腰部又は腹部にベルト３１を強い力で締め付けることを必要としない。従って、複数の工具における重量の全てが装着者の腰部や腹部に直接加わるような事態は回避され、作業者である装着者の腰部や腹部に負担をかけることなく、工具用収納体を装備するベルト３１をベスト本体１１の装着者である作業者の腰部又は腹部に取付けることが可能になる。
【００１０】
また、この請求項１に記載された作業用ベストでは、ベルト３１は帯状の緩衝材２１に重合するようにその緩衝材２１に固定されるので、工具用収納体がベルト３１の内側に回り込まれて装備されているような場合では、そのベルト３１の内側に凹凸を生じさせる場合があるけれども、その凹凸は緩衝材２１に埋没して吸収される。このため、ベルト３１をベスト本体１１の装着者の腰部又は腹部に締め付けても、ベルト３１の内側に生じた凹凸がその者の腰部や腹部に食い込むようなことはない。
【００１１】
更に、この請求項１に記載された作業用ベストでは、ベルト３１をベスト本体１１を装着する装着者の腰部又は腹部に強く締め付けることを必要としないので、そのベルト３１を装着者の腰部又は腹部に余裕を持って締め付けることが可能になる。そして、ベルト３１を余裕を持って締め付けると、例えばズボンを止めるウエストベルトの上にこのベルト３１が重なるような事態が生じても、そのウエストベルトや作業着の膨らみ等がベルト３１を締め付けた装着者の体に食い込むような事態を有効に回避することができる。このため、装着者が腰痛を常日頃から感じている者であったとしても、ベルト３１を締め付けることに起因する負担を解消することが可能となる。
【００１２】
請求項２に係る発明は、請求項１に係る発明であって、帯状の緩衝材２１がスライドファスナ２２を介してベスト本体１１の胴部１１ｂに取外し可能に取付けられたことを特徴とする。
この請求項２に記載された作業用ベストでは、例えば、この作業用ベストを洗浄する場合には、緩衝材２１を取外してベスト本体１１と緩衝材２１を別々に洗浄することが可能になり、その洗浄が比較的容易になる。
【００１３】
請求項３に係る発明は、請求項１又は２に係る発明であって、更に図４に示すように、ベルト通し３６が、帯状の緩衝材２１の上縁又は下縁に一端が取付けられたバンド３８と、バンド３８の他端を緩衝材２１の下縁又は上縁に離脱可能に取付ける取付手段３７，３９とを備えたことを特徴とする。
この請求項３に記載された作業用ベストでは、バンド３８の他端を帯状の緩衝材２１の下縁又は上縁から離脱させて、帯状の緩衝材２１にベルト３１を重合させた後にバンド３８をそのベルト３１の上で横断させ、そのバンド３８の他端を帯状の緩衝材２１の下縁又は上縁に取付手段３７，３９を介して再び取付けることにより、そのベルト３１を帯状の緩衝材２１に固定することができる。よって、工具用収納体を複数装備したベルト３１をベルト通し３６に通すことなく、そのベルト３１を工具用収納体が装備された状態で緩衝材２１に直接固定することが可能になる。このため、工具用収納体を複数装備したベルト３１の固定作業を簡単にすることができる。
【発明の効果】
【００１４】
本発明の作業用ベストでは、肩部とその肩部を肩に乗せるようにして装着した装着者の腰周りを包囲する胴部とを有するベスト本体と、胴部に胴周り方向に取付けられた帯状の緩衝材と、帯状の緩衝材に設けられ帯状の緩衝材に重合するように胴部に周回されたベルトを帯状の緩衝材に固定するベルト通しとを備えるので、ベルト通しを介して緩衝材にベルトを固定するようにすれば、そのベルトに工具用収納体を装備させても、それらの重量はベスト本体を装着した装着者の肩で支持することになる。このため、工具用収納体を装備したベルトを作業着の上から装着者の腰部や腹部に比較的強い力で締め付けることが不要になり、装着者の腰部や腹部に負担をかけることなく工具用収納体を装備するベルトを取付けることができる。
【００１５】
また、本発明の作業用ベストでは、ベルトは帯状の緩衝材に重合するようにその緩衝材に固定するので、そのベルトに装備させた工具用収納体等によりベルトの内側に凹凸が生じたとしても、その凹凸は緩衝材に埋没して吸収される。このため、ベルトを装着者の腰部又は腹部に締め付けても、ベルトの内側に生じた凹凸が装着者の腰部又は腹部に食い込むようなことはない。また、ベルトを装着者の腰部又は腹部に余裕を持って締め付けることが可能になるので、ベルトを余裕を持って締め付けることにより、例えばズボンを止めるウエストベルトの上にそのベルトが重なるような事態が発生しても、そのウエストベルトや作業着の膨らみ等がベルトを装着した装着者の体に食い込むような事態を有効に回避することができる。このため、腰痛を常日頃から感じている装着者であったとしても、ベルトを締め付けることに起因する著しい負担を解消することが可能となる。
【００１６】
また、スライドファスナを介して帯状の緩衝材をベスト本体の胴部に取外し可能に取付ければ、例えば、この作業用ベストを洗浄する場合には、緩衝材を取外してベスト本体と緩衝材を別々に洗浄することが可能になり、その洗浄が比較的容易になる。そして、ベルト通しが、帯状の緩衝材の上縁又は下縁に一端が取付けられたバンドと、バンドの他端を帯状の緩衝材の下縁又は上縁に離脱可能に取付ける取付手段とを備えたようなものであれば、バンドの他端を帯状の緩衝材の下縁又は上縁から離脱させて、帯状の緩衝材にベルトを重合させた後に、取付手段を介してそのバンドの他端を帯状の緩衝材の下縁又は上縁に再び取付けることにより、そのベルトを帯状の緩衝材に固定することができる。よって、工具用収納体を複数装備するベルトをベルト通しに通すことなく、そのベルトを工具用収納体が複数装備された状態で緩衝材に直接固定することが可能になる。このため、そのベルトの固定作業を簡単にすることができる。
【発明を実施するための最良の形態】
【００１７】
次に本発明を実施するための最良の形態を図面に基づいて説明する。
図１〜図３に示すように、本発明の作業用ベスト１０はベスト本体１１を備える。このベスト本体１１は、肩部１１ａと肩部１１ａを肩に乗せるようにして装着した装着者の腰周りを包囲する胴部１１ｂとを有する。ベスト本体１１の肩部１１ａは前身頃１２の上縁と後身頃１３の上縁が互いに連結されて形成される。前身頃１２及び後身頃１３を構成する生地は、化学繊維や、合成繊維等からなる種々の生地が採用され、使用される環境により、例えば透湿性防水生地等を前身頃１２及び後身頃１３として採用しても良い。この前身頃１２及び後身頃１３は、肩部１１ａを肩に乗せるようにして装着した装着者の腰部及び腹部を前後から覆うような所定形状に上記生地を裁断することにより作られ、それらの脇部にて縫い合わされて胴部１１ｂが形成される。また、前身頃１２及び後身頃１３の周囲には縁取りテープ１４が縫合され、この縁取りテープ１４により前身頃１２及び後身頃１３の周囲における縁部が補強される。
【００１８】
図３に示すように、前身頃１２は、右前身頃１２ａ及び左前身頃１２ｂとを有し、これらは左右対称に形成される。右前身頃１２ａと左前身頃１２ｂの間の重なり合う部分には複数のホック１６が取り付けられており、これにより、右前身頃１２ａと左前身頃１２ｂとは着脱自在に構成され、前身頃１２はこのホック１６により前面中央部で開閉自在に構成される。
【００１９】
右前身頃１２ａ及び左前身頃１２ｂには腰ポケット部１７と胸ポケット１８がそれぞれ形成される。これらのポケット部１７，１８は、前身頃１２を構成する生地と同様の生地を右前身頃１２ａ及び左前身頃１２ｂに縫いつけることによって構成され、生地の両側と下縁が縫いつけられたポケット本体１７ａ，１８ａと、そのポケット本体１７ａ，１８ａの開放された上縁を覆うカバー１７ｂ，１８ｂとを備える。ポケット本体１７ａ，１８ａの上縁を覆うカバー１７ｂ，１８ｂはその上縁が右前身頃１２ａ及び左前身頃１２ｂに縫いつけられる。そして、そのカバー１７ｂ，１８ｂと、そのカバー１７ｂ，１８ｂにより覆われるポケット本体１７ａ，１８ａの上部には、ホック１６が設けられる。そして、そのホック１６を外して、カバー１７ｂ，１８ｂを持ち上げることによりポケット本体１７ａ，１８ａの上縁を開放させることができるように構成される。
【００２０】
このベスト本体１１の胴部１１ｂには、その胴周り方向に帯状の緩衝材２１が取付けられる。図４に示すように、この緩衝材２１は、弾性体や発泡体からなる帯状の芯材２１ａを布地２１ｂで被覆することにより作られる。帯状の芯材２１ａとして用いられる弾性体としては、合成ゴムや天然ゴムが挙げられ、それに用いられる発泡体としては合成ゴムの発泡体や、ウレタンやポリエチレン等の樹脂からなる発泡体が挙げられる。また、海綿状のゴム又はウレタンやポリエチレン等の合成樹脂からなるいわゆるスポンジを帯状に加工し、これを帯状の芯材２１ａとして用いても良い。
【００２１】
このような帯状の芯材２１ａを布地２１ｂで被覆することにより作られる緩衝材２１の長さは、図１〜図３に示すように、後身頃１３の胴周り方向に延びて両端部が前身頃１２の両側部に至るように調整される。そして、この帯状の緩衝材２１は後身頃１３の幅方向、即ち胴周り方向に延びて両端部が前身頃１２の両側部に至るようにベスト本体１１の胴部１１ｂに取付けられる。これにより、ベスト本体１１の装着者である作業者の作業を行う前身頃１２の前側に緩衝材２１が回り込むことを防止する。また、この緩衝材２１の厚さは、その内部における芯材２１ａの種類によるけれども、２〜２０ｍｍの範囲、特に２〜１５ｍｍの範囲であることが作業者の前側における作業空間を狭めないので好ましい。更に、この緩衝材２１の幅は、この緩衝材２１に重合される後述するベルト３１の幅にもよるけれども、後述するベルト３１を効果的に固定するために、８〜１５ｃｍの範囲、特に８〜１２ｃｍの範囲であることが好ましい。
【００２２】
この帯状の緩衝材２１は、スライドファスナ２２を介してベスト本体１１の胴部１１ｂに取外し可能に取付けられる。スライドファスナ２２は、一対のファスナー片２３，２４と、一対のファスナー片２３，２４を咬合させつつ一対のファスナー片２３，２４上を移動可能なスライダ２６を有する。一対のファスナー片２３，２４は、合成繊維等から形成された布状部材であり、それぞれ対向側縁部に対向方向に突出する複数のフックを備える。この一対のファスナー片２３，２４のフックは、金属または合成樹脂から形成され相互に噛み合って咬合自在に構成される。このスライドファスナ２２は、後述するベルト３１に比較的多くの工具用収納体３３（図４）を装備するような場合には、比較的多くの荷重を支持し得るように比較的大型のものが選定される。
【００２３】
一方、スライダ２６は、一対のファスナ片２３，２４を噛み込みながらファスナ片２３，２４上を移動自在に配置される噛合部２６ａと、この噛合部２６ａを移動させるために把持する把持部２６ｂとを備える。図示しないが、噛合部２６ａは、両側に側方に開口しそれぞれ一対のファスナ片２３，２４を収納可能な凹部を有し、一対のファスナ片２３，２４の長さ方向の図２の破線矢印で示すように一端側から他端側にかけて移動することにより凹部内の一対のファスナ片２３，２４を互いに咬合させ、一対のファスナ片２３，２４の長さ方向の図２の実線矢印で示すように他端側から一端側にかけて戻るように移動することにより互いの咬合を解除させて凹部内の一対のファスナ片２３，２４を分離するように構成される。また、把持部２６ｂは薄板状の部材であり把持しやすいように孔が形成される。
【００２４】
一方のファスナー片２３は、その幅方向外方縁部がベスト本体１１の胴部１１ｂに胴周り方向に縫合されてその胴部１１ｂに固定される。他方のファスナー片２４の幅方向外方縁部は帯状の緩衝材２１の上縁に縫合されてその緩衝材２１に固定される。そして、図２に破線矢印で示すように、一対のファスナ片２３，２４の一端側から他端側にかけてスライダ２６を移動させ、それら一対のファスナ片２３，２４を互いに咬合させることにより、このスライドファスナ２２を介して帯状の緩衝材２１はベスト本体１１の胴部１１ｂに取付けられる。一方、図２に実線矢印で示すように、一対のファスナ片２３，２４の他端側から一端側にかけてスライダ２６を移動させると、一対のファスナ片２３，２４を分離することができるので、このように一対のファスナ片２３，２４を分離することにより帯状の緩衝材２１をベスト本体１１から取外すことができるように構成される。
【００２５】
帯状の緩衝材２１には、帯状の緩衝材２１に重合するようにベスト本体１１の胴部１１ｂに周回されたベルト３１（図１〜４に一点鎖線で示す。）をその帯状の緩衝材２１に固定するベルト通し３６が複数（この実施の形態では３箇所）設けられる。ベルト３１は、複数の工具を収納可能な工具用収納体を複数装備可能なものであり、図４に作業用工具であるドライバ３２を収納した工具用収納体３３を例示する。図４に詳しく示すように、この実施の形態におけるベルト通し３６は、帯状の緩衝材２１の下縁に一端が取付けられたバンド３８と、バンド３８の他端を帯状の緩衝材２１の上縁に離脱可能に取付ける取付手段３７，３９とを備える。
【００２６】
この実施の形態における取付手段は、帯状の緩衝材２１の上縁に取付けられたリング部材３７と、バンド３８の他端であってリング部材３７に掛け回されて重合したバンド３８を互いに係止する面ファスナ３９により構成される。面ファスナ３９は、図示しない被係止部材が複数形成されたファスナ生地３９ａと、被係止部材に係止する図示しないフックが複数形成されたファスナテープ３９ｂからなる。そして、ファスナ生地３９ａは帯状の緩衝材２１に重合させたベルト３１上を横断するバンド３８に縫着され、ベルト３１の上で横断したバンド３８の他端をリング部材３７に挿通させた部分にファスナテープ３９ｂが縫着される。そして、バンド３８の他端をリング部材３７に挿通させて掛け回した後、ファスナテープ３９ｂをファスナ生地３９ａに重合させることにより、面ファスナ３９はリング部材３７に掛け回されて重合したバンド３８を互いに係止するように構成される。
【００２７】
このように構成された作業用ベスト１０では、ベルト通し３６を介して緩衝材２１にベルト３１を固定すれば、そのベルト３１に工具用収納体３３を装備させても、それらの重量はベスト本体１１を装着した装着者の肩で支持することになる。このため、ベスト本体１１を装着した装着者の腰部又は腹部にベルト３１を強い力で締め付けることを必要としない。従って、複数の工具用収納体３３のそれぞれに作業用工具３２を収納しても、それら作業用工具３２における重量の全てが装着者の腰部や腹部に直接加わるような事態は回避される。よって、作業者であるベスト本体２２の装着者の腰部や腹部に負担をかけることなく、工具用収納体３３を装備するベルト３１を作業者の腰部又は腹部に取付けることが可能になる。
【００２８】
また、図４に示すように、ベルト３１に装備させた工具用収納体３３がベルト３１の内側に回り込まれて装備されているような場合には、工具用収納体３３のベルト３１の内側に回り込む部分により、そのベルト３１の内側に凹凸が生じ得る。しかし、この作業用ベスト１０では、ベルト３１を帯状の緩衝材２１に重合させてその緩衝材２１に固定するので、ベルト３１の内側に生じた凹凸は緩衝材２１に埋没して吸収される。このため、ベルト３１を装着者の腰部や腹部に締め付けても、工具用収納体３３を装備するベルト３１の内側に生じた凹凸が装着者の腰部や腹部に食い込むようなことはない。そして、この作業用ベスト１０では、ベルト３１を装着者の腰部や腹部に強く締め付けることを必要としないので、そのベルト３１を装着者の腰部や腹部に余裕を持って締め付けることにより、例えばズボンを止めるウエストベルトの上に工具用収納体３３を装備するベルト３１が重なるような事態が発生しても、そのウエストベルトや作業着の膨らみ等がベスト本体２２の装着者の体に食い込むような事態を有効に回避することができる。このため、腰痛を常日頃から感じている装着者であったとしても、工具用収納体３３を装備するベルト３１を締め付けることに起因する負担を解消することが可能となる。
【００２９】
また、帯状の緩衝材２１は、スライドファスナ２２を介してベスト本体１１の胴部１１ｂに取外し可能に取付けられているので、例えば、この作業用ベスト１０を洗浄する場合には、緩衝材２１を取外してベスト本体１１と緩衝材２１を別々に洗浄することが可能になり、その洗浄を比較的容易に行うことが可能になる。ここで、スライドファスナ２２は比較的大きな荷重を支持することが可能であり、比較的大型のスライドファスナ２２を用いることにより、ベルト３１に複数の工具用収納体３３を装備させて、比較的多くの作業用工具等を作業者の腰の周囲に装備させる場合であっても、そのベルト３１を有効に支持することが可能になる。そして、帯状の緩衝材２１は後身頃１３の幅方向に延びて両端部が前身頃１２の両側部に至るようにベスト本体１１の胴部１１ｂに取付けたので、前身頃１２の前側に緩衝材２１が回り込むことは防止され、ベスト本体１１を装着した装着者である作業者の作業を行う前方の作業空間に緩衝材２１が膨出して、その作業空間を狭めるような事態を有効に回避することができる。
【００３０】
更に、ベルト通し３６は、帯状の緩衝材２１の下縁に一端が取付けられたバンド３８と、バンド３８の他端を帯状の緩衝材２１の上縁に離脱可能に取付ける取付手段３７，３９とを備えたので、バンド３８の他端を帯状の緩衝材２１の上縁から離脱させて、帯状の緩衝材２１にベルト３１を重合させた後にバンド３８をそのベルト３１の上で横断させ、取付手段３７，３９を介してそのバンド３８の他端を帯状の緩衝材２１の上縁に再び取付けることにより、そのベルト３１を帯状の緩衝材２１に固定することができる。よって、工具用収納体３３を複数装備させたベルト３１をベルト通し３６に通すことなく、工具用収納体３３を複数装備させた状態でそのベルト３１を緩衝材２１に直接固定することが可能になり、そのベルト３１の固定作業を簡単にすることができる。
【００３１】
例えば、この実施の形態のように、取付手段が、帯状の緩衝材２１の上縁に取付けられたリング部材３７と、バンド３８の他端であってリング部材３７に掛け回されて重合したバンド３８を互いに係止する面ファスナ３９により構成されているような場合には、バンド３８をリング部材３７から取外して帯状の緩衝材２１にベルト３１を重合させた後に、バンド３８を再びリング部材３７に掛け回し、そのリング部材３７に掛け回したバンド３８の他端をバンド３８の一端側に重合させて面ファスナ３９により係止させることにより工具用収納体３３を複数装備させたベルト３１を帯状の緩衝材２１に比較的容易に固定することができる。
【００３２】
なお、上述した実施の形態では、ベルト通し３６を帯状の緩衝材２１に３箇所設けた例を説明したが、そのベルト通し３６の数は３カ所に限定されるものではなく、緩衝材２１にベルト３１を固定可能である限り、そのベルト通し３６は２箇所であっても良く、４箇所又は５箇所以上であっても良い。
【００３３】
また、上述した実施の形態では、帯状の緩衝材２１の下縁に一端が取付けられたバンド３８と、バンド３８の他端を緩衝材２１の上縁に離脱可能に取付ける取付手段３７，３９を備えるベルト通し３６を例示したが、ベルト通しは、帯状の緩衝材２１の上縁に一端が取付けられたバンド３８と、バンド３８の他端を緩衝材２１の下縁に離脱可能に取付ける取付手段３７，３９を備えたものであっても良い。
【００３４】
更に、上述した実施の形態では、リング部材３７と面ファスナ３９からなる取付手段を例示して説明したが、バンド３８の他端を帯状の緩衝材２１の上縁又は下縁に離脱可能に取付け得る限り、この取付手段は、図示しないホックやフック、又はボタン等からなるものであっても良い。
【図面の簡単な説明】
【００３５】
【図１】本発明実施形態に係る作業用ベストの左側面図である。
【図２】その作業用ベストの背面図である。
【図３】その作業用ベストの正面図である。
【図４】その作業用ベストのベルト通し部分の拡大斜視図である。
【符号の説明】
【００３６】
１０  作業用ベスト
１１  ベスト本体
１１ａ  肩部
１１ｂ  胴部
２１  緩衝材
２２  スライドファスナ
３１  ベルト
３６  ベルト通し
３７  リング部材（取付手段）
３８  バンド
３９  面ファスナ（取付手段）
【図１】
2010047878.tif 000003
【図２】
2010047878.tif 000004
【図３】
2010047878.tif 000005
【図４】
2010047878.tif 000006